(57)【要約】【課題】  空気調和装置本体のサイズを変更することなく組み込みが可能で、空気調和装置本体の設置後であっても容易に組み込みを可能とする。【解決手段】  天井埋め込み型空気調和装置は、フィルタが着脱可能に取り付けられた吸込グリル４と、空気調和装置本体の天板５ｔに予め取り付けられるビス９５に係合されて仮止めされるだるま孔を備えた取付金具８１と、吸込グリル４を昇降すべく支持するための吊りひも８５を含む昇降用機構が内蔵されるとともに、取付金具８１に保持されたグリル昇降ユニット８２と、を有し、空気調和装置本体の機械室内に設けられ、吸込グリル４を昇降させるグリル昇降装置８０と、を備える。【選択図】      図７
2006097994.tif 000002
【特許請求の範囲】
【請求項１】
フィルタが着脱可能に取り付けられた吸込グリルを昇降させるとともに、空気調和装置本体の機械室内に設けられるグリル昇降装置であって、
前記空気調和装置本体の天板に予め取り付けられる仮止め部材に係合されて仮止めされる係合部を備えた取付金具と、
前記吸込グリルを昇降すべく支持するための吊りひもを含む昇降用機構が内蔵されるとともに、前記取付金具に保持されたグリル昇降ユニットと、
を備えたことを特徴とするグリル昇降装置。
【請求項２】
請求項１記載のグリル昇降装置において、
前記吸込グリルは略長方形状をしており、
前記取付金具は、前記吊りひもが前記吸込グリルの長手方向の端部から所定距離だけ離れた位置に取り付け可能となるように、前記グリル昇降ユニットを前記機械室の側板から離れた位置に支持する形状とされていることを特徴とするグリル昇降装置。
【請求項３】
請求項１または請求項２記載のグリル昇降装置において、
前記係合部として、前記取付金具には、だるま孔が形成されており、前記だるま孔に前記空気調和装置本体の天板に予め取り付けられる仮止め部材に係合させて仮止めした状態で、前記機械室内に取り付け可能とされていることを特徴とするグリル昇降装置。
【請求項４】
空気調和装置本体を有する天井埋め込み型空気調和装置において、
フィルタが着脱可能に取り付けられた吸込グリルと、
前記空気調和装置本体の天板に予め取り付けられる仮止め部材に係合されて仮止めされる係合部を備えた取付金具と、前記吸込グリルを昇降すべく支持するための吊りひもを含む昇降用機構が内蔵されるとともに、前記取付金具に保持されたグリル昇降ユニットと、を有し、前記空気調和装置本体の機械室内に設けられ、前記吸込グリルを昇降させるグリル昇降装置と、
を備えたことを特徴とする天井埋め込み型空気調和装置。
【請求項５】
請求項４記載の天井埋め込み型空気調和装置において、
前記吸込グリルは略長方形状をしており、
前記取付金具は、前記吊りひもが前記吸込グリルの長手方向の端部から所定距離だけ離れた位置に取り付け可能となるように、前記グリル昇降ユニットを前記機械室の側板から離れた位置に支持する形状とされていることを特徴とする天井埋め込み型空気調和装置。
【発明の詳細な説明】
【技術分野】
【０００１】
本発明は、グリル昇降装置および天井埋込型空気調和装置に関する。
【背景技術】
【０００２】
一般に、天井内に埋設される本体の下端に、吹出口と吸込口とを有するグリル枠を設け、このグリル枠の吸込口開口部にフィルタを支持する吸込グリルを設け、この吸込グリルをフィルタごと昇降自在に形成し、フィルタを交換するときには吸込グリルをフィルタごと降下させて、このフィルタを低所で交換できるようにした空気調和装置が知られている（例えば、特許文献１参照。）。
【０００３】
従来の構成では、吸込グリルの四隅をそれぞれ吊りひもで支持し、この吊りひもを繰り出し、或いは巻き取りする昇降機構を収納する機構ボックスを備えるのが一般的である。
【特許文献１】特開２００２−３４９８９３号公報
【発明の開示】
【発明が解決しようとする課題】
【０００４】
しかしながら、上記の機構ボックスを空気調和装置本体の内部に設置する場合、機構ボックスの設置スペースを確保するために本体のサイズを変更するのは、本体が大型となるので好ましくない。また、空気調和装置の設置後に機構ボックスを空気調和装置本体の内部に組み込むのは容易ではなかった。
そこで、本発明の目的は、空気調和装置本体のサイズを変更することなく組み込みが可能で、空気調和装置本体の設置後であっても容易に組み込みが可能なグリル昇降装置及びグリル昇降装置を備えた天井埋込型空気調和装置を提供することにある。
【課題を解決するための手段】
【０００５】
上記課題を解決するため、フィルタが着脱可能に取り付けられた吸込グリルを昇降させるとともに、空気調和装置本体の機械室内に設けられるグリル昇降装置は、前記空気調和装置本体の天板に予め取り付けられる仮止め部材に係合されて仮止めされる係合部を備えた取付金具と、前記吸込グリルを昇降すべく支持するための吊りひもを含む昇降用機構が内蔵されるとともに、前記取付金具に保持されたグリル昇降ユニットと、を備えたことを特徴としている。
【０００６】
この場合において、前記吸込グリルは略長方形状をしており、前記取付金具は、前記吊りひもが前記吸込グリルの長手方向の端部から所定距離だけ離れた位置に取り付け可能となるように、前記グリル昇降ユニットを前記機械室の側板から離れた位置に支持する形状とされているようにしてもよい。
【０００７】
また、前記係合部として、前記取付金具には、だるま孔が形成されており、前記だるま孔に前記空気調和装置本体の天板に予め取り付けられる仮止め部材に係合させて仮止めした状態で、前記機械室内に取り付け可能とされているようにしてもよい。
【０００８】
また、空気調和装置本体を有する天井埋め込み型空気調和装置は、フィルタが着脱可能に取り付けられた吸込グリルと、前記空気調和装置本体の天板に予め取り付けられる仮止め部材に係合されて仮止めされる係合部を備えた取付金具と、前記吸込グリルを昇降すべく支持するための吊りひもを含む昇降用機構が内蔵されるとともに、前記取付金具に保持されたグリル昇降ユニットと、を有し、前記空気調和装置本体の機械室内に設けられ、前記吸込グリルを昇降させるグリル昇降装置と、を備えたことを特徴としている。
【０００９】
この場合において、前記吸込グリルは略長方形状をしており、前記取付金具は、前記吊りひもが前記吸込グリルの長手方向の端部から所定距離だけ離れた位置に取り付け可能となるように、前記グリル昇降ユニットを前記機械室の側板から離れた位置に支持する形状とされているようにしてもよい。
【発明の効果】
【００１０】
本発明によれば、吸込グリルを昇降するためのグリル昇降装置を、空気調和装置本体のサイズを変更することなく組み込みが可能で、空気調和装置本体の設置後であっても容易に組み込みが可能となる。
【発明を実施するための最良の形態】
【００１１】
以下図面を参照して、本発明の好適な実施の形態について説明する。
図１は本実施の形態に係る空気調和装置の外観構成を示す斜視図である。
図１に示すように、空気調和装置１は、空気調和装置本体２と、化粧パネル３と、吸込グリル４とを備えている。空気調和装置本体２は天井内に収納されるものであり、板金製の箱型の本体ケース５を有し、この本体ケース５の両側板５ａの各々には吊り金具６が２つずつ設けられている。この吊り金具６は、天井梁に吊り下げられた吊りボルト（図示せず）に固定されるものである。空気調和装置本体２を天井内に収納する際には、天井面に設けられた天井穴から空気調和装置本体２を天井内に導入し、吊り金具６の各々を吊りボルトに引っかけて固定して、空気調和装置本体２を天井内部に収納する。
【００１２】
図２は吸い込みグリルを降ろした状態の化粧パネルの外観斜視図である。図３は、化粧パネルの分解斜視図である。
化粧パネル３は、ポリスチレン（ＰＳ）などの樹脂で形成されており、天井穴を塞ぐように天井面に設けられるものであり、図２に示すように略矩形に形成されている。この化粧パネル３には、室内空気を吸込むための吸込口７、及び、室内へ調和空気を吹き出すための吹出口８が各々１つずつ設けられている。これらの吸込口７、吹出口８及び化粧パネル３の縁が断熱材３１により囲まれている。吸込口７には、吸込グリル４が開閉自在に設けられている。
また、吸込グリル４の枠体１０には吸気口９を覆うフィルタ１３が載置されている。
【００１３】
化粧パネル３の吹出口８には、水平フラップ１４が回動自在に設けられる。具体的には、水平フラップ１４には２つの回動軸１５が設けられ、回動軸１５の各々が軸受１６に回動自在に支持されている。
また、この吹出口８には発泡材１７が設けられ、冷房運転時の結露防止が図られている。  化粧パネル３の左右両側の各々には、空気調和装置本体２の吊り金具６付近にアクセスして空気調和装置本体２の取り付け高さを調整などするための４つのメンテナンス用開口１８が設けられ、これらのメンテナンス用開口１８を覆うサイドカバー１９Ａ、１９Ｂが化粧パネル３に着脱自在に設けられる。
以上述べた他にも、化粧パネル３には、ワイヤレスリモコンからの信号を受光する受光部２０が嵌め込まれる受光部取付穴２１等が設けられている。
【００１４】
次いで、空気調和装置本体２の内部構成について図４及び図５を参照して説明する。図４は空気調和装置本体２の内部構成を示す斜視図であり、図５は空気調和装置本体２及び化粧パネル３の構成を模式的に示す断面視図である。
【００１５】
図４に示すように、空気調和装置本体２の本体ケース５は、その内部に仕切り板４０が設けられ、この仕切り板４０により、機械室４１と熱交換室４２とに仕切られている。
機械室４１には送風機ユニット５０及び電装箱５１とが配置される。
化粧パネル３の吸込口７は機械室４１を覆う個所に設けられ、送風機ユニット５０の送風動作により、吸込口７から室内空気が空気調和装置本体２に導入される。この送風機ユニット５０は、互いに離間配置される２つの遠心送風機５２と、これらの遠心送風機５２の間に設けられて遠心送風機５２の各々を同軸で駆動するモータ５３とを備えている。
【００１６】
遠心送風機５２は、円筒材の内周面に多数の羽根が設けられモータ５３により円筒の中心軸を回転軸として回転駆動される多翼ファン５４と、この多翼ファン５４を収納する断面視渦巻き螺旋状のケーシング５５を備える。ケーシング５５の両側には多翼ファン５４の直径に相当する大きさの空気吸込口５６が設けられ、この空気吸込口５６が空気調和装置本体２の側方を向くように遠心送風機５２が機械室４１に配置される。また、遠心送風機５２のケーシング５５の内部には断面視渦巻き螺旋状の通風路５７が形成され、この通風路５７の吐出口（出口）がダクト５８を介して仕切り板４０に形成された空気導入口４３（図５参照）に接続される。したがって、図４中、矢印Ａで示すように、遠心送風機５２の多翼ファン５４の回転によって、遠心送風機５５の両側面の空気吸込口５６から室内空気が吸込まれ、矢印Ｂで示すように、ダクト５８及び仕切り板４０を介して熱交換室４２に吐き出される。
【００１７】
ここで、グリル昇降装置について説明する。
本実施形態のグリル昇降装置は、オプションとして用意されるものであり、あとから設置することが可能となっている。
図６は化粧パネル３を取り外したときの空気調和装置１を床側から見た平面図である。図７は、グリル昇降装置を遠心送風機側から見た図である。
図６に示すように、グリル昇降装置８０は、空気調和装置本体２の機械室４１内に面した空気調和装置本体２の側板５ａ近傍に対となって組み込まれる。
グリル昇降装置８０は、大別すると、取付金具８１と、昇降用モータ、コントローラなどの図示しない昇降用機構が内蔵されるとともに、取付金具８１に保持されたグリル昇降ユニット８２と、を備えている。
【００１８】
図８は、グリル昇降装置を床側から見た平面図である。図９は、図７の部分拡大図である。
取付金具８１は、大別すると、仮止め用のだるま孔８１Ａを有するベース部８１Ｂと、ベース部８１Ｂから板金を折り曲げることにより立設された立設部８１Ｃと、立設部８１Ｃから再び板金を折り曲げることにより形成された支持部８１Ｄと、支持部８１Ｄから再び板金を折り曲げることにより形成された固定部８１Ｅと、を備えている。これらの結果、取付金具８１は、断面階段状に形成されている。
グリル昇降ユニット８２は、取付時に下面となる面に吸い込みグリル４を昇降自在に吊持する吊りひも８５が繰り出される繰り出し孔８２Ａが２カ所に設けられている。
グリル昇降ユニット８２は、例えば、上部及び下部に設けられた二つの軸受けに支持されるシャフトと、このシャフトに取り付けられる二つのボビンと、シャフトに取り付けられる駆動ギアと、この駆動ギアと噛み合う第１のギアと、この第１のギアと噛み合う第２のギアと、ステッピングモータと、このステッピングモータの回転軸に取り付けられ第２のギアと噛み合うウォームギアとを有している。
【００１９】
これによって、ステッピングモータにより二つのボビンが回転駆動され、このボビンにそれぞれ巻き付けられた吊りひも８５の図示しない一端がそれぞれ巻き取られる。これら吊りひも８５は、繰り出し孔８２Ａからグリル昇降ユニット８２外に導出されて、吸込グリルに導かれ、後述するように取り付けられることとなる。
【００２０】
図１０は、吸い込みグリルのフィルタ側から見た平面図である。
図１０に向かって右側はフィルタ１３を取り除いた状態であり、左側はフィルタ１３が取り付けられた状態である。実際には、左右双方にフィルタ１３が取り付けられる。
吸込グリル４の長手方向の両端部から所定距離Ｌだけ離れた位置には、それぞれ吸込グリル４の長手方向の両端部に並行に、吊りひも固定用フレーム９０が設けられている。
これらの吊りひも固定用フレーム９０が、吸込グリル４の長手方向の両端部から所定距離Ｌだけ離れた位置に設けられているのは、吸込グリル４が樹脂製であるため、強度的に撓みやすいため、その撓みを防止するためである。この撓みが防止される結果、吸込グリル４の昇降時に発生する吸込グリル４自体の振動を抑制でき、より高速に昇降動作を行えることとなる。
【００２１】
図１１は吊りひも固定用フレームの側面図である。
図１１に示すように、吊りひも固定用フレーム９０は、フィルタ１３を通過する空気の流れを妨げないように、フィルタ１３の表面から所定距離離間するように、支持フレーム９１Ａ、９１Ｂに支持されている。
吊りひも固定用フレーム９０の上面には、吊りひも８５が摺動可能に引っかけられて、吸い込みグリル４が昇降可能に支持される取付部９２が２カ所に設けられている。
さらに吊りひも８５の端部には、吸い込みグリル４の昇降時に、吊りひも８５から振動が伝わることにより吸い込みグリル４に生じるぶれを吸収し、なめらかに昇降させるためのばね９３が連結されている。
【００２２】
次にグリル昇降装置８０の取付方法について、図８を参照して説明する。
グリル昇降装置８０を空気調和装置本体２に取り付ける場合には、まず、本体ケース５を構成する天板５ｔにだるま孔８１に対応する位置、すなわち、図中、破線の円で示す位置にビス９５を２本打ち込む。
続いてだるま孔８１の太径部分にビス９５を通し、図中、右方向に摺動させることにより、だるま孔８１の細径部分にビス９５を位置させ、係合させる。
これによりグリル昇降装置８０は、本体ケース５の天板５ｔに仮止めされるので、その状態で、ねじ９６により固定部８１Ｅを本体ケース５の側板５ａに締め付け固定する。
【００２３】
この結果、容易にグリル昇降装置８０を空気調和装置本体２に取り付けることが可能となる。
その後、吊りひも８５をグリル昇降装置８０から引き出して、吊りひも固定用フレーム９０の上面の取付部９２に吊りひも８５を引っかけることにより、吸込グリル４が昇降可能に支持され、取り付けられることとなる。
以上の説明のように、本実施形態によれば、グリル昇降装置８０を空気調和装置本体２のサイズを変更することなく組み込みが可能で、空気調和装置本体２の設置後であっても容易に組み込みが可能となる。
さらにグリル昇降装置８０は、空気調和装置本体２の機械室内に仮止めできるので、作業者が一人であっても、容易にグリル昇降装置を空気調和装置本体に取り付けることができる。
【００２４】
以上の説明においては、取付金具８１の一例を説明したが、これに限定されるものではなく、吊りひもを所定の位置でつり下げられるとともに、空気調和装置本体２の機械室内に仮止め可能な構造であり、かつ、被調和空気の流れを極力妨げないような構造であれば、どのような構造であってもかまわない。
【図面の簡単な説明】
【００２５】
【図１】実施の形態に係る空気調和装置の外観構成を示す斜視図である。
【図２】吸い込みグリルを開いた状態の化粧パネルの外観斜視図である。
【図３】化粧パネルの分解斜視図である。
【図４】空気調和装置本体の内部構成を示す斜視図である。
【図５】空気調和装置本体及び化粧パネルの構成を模式的に示す断面視図である。
【図６】化粧パネルを取り外したときの空気調和装置を床側から見た平面図である。
【図７】グリル昇降装置を遠心送風機側から見た図である。
【図８】グリル昇降装置を床側から見た平面図である。
【図９】図７の部分拡大図である。
【図１０】吸い込みグリルのフィルタ側から見た平面図である。
【図１１】吊りひも固定用フレームの側面図である。
【符号の説明】
【００２６】
１…空気調和装置
２…空気調和装置本体
３…化粧パネル
４…吸込グリル
１９Ａ…サイドパネル
１９Ｂ…サイドパネル
８０…グリル昇降装置
８１…取付金具
８１Ａ…だるま孔（係合部）
８１Ｂ…ベース部
８１Ｃ…立設部
８１Ｄ…支持部
８１Ｅ…固定部
８２…グリル昇降ユニット
８２Ａ…繰り出し孔
８５…吊りひも
９０…吊りひも固定用フレーム
９１Ａ、９１Ｂ…支持フレーム
９２…取付部
９３…ばね
９５…ビス（仮止め部材）
【図１】
2006097994.tif 000003
【図２】
2006097994.tif 000004
【図３】
2006097994.tif 000005
【図４】
2006097994.tif 000006
【図５】
2006097994.tif 000007
【図６】
2006097994.tif 000008
【図７】
2006097994.tif 000009
【図８】
2006097994.tif 000010
【図９】
2006097994.tif 000011
【図１０】
2006097994.tif 000012
【図１１】
2006097994.tif 000013